(57)【要約】【課題】スカートガードの水平方向の微調整を容易に行うことのできる乗客コンベアの欄干装置の提供。【解決手段】無端状に連結されて枠内を循環移動する踏段の両側に対向し、踏段の移動方向に沿って連続的に配置された複数のスカートガードと、これらのスカートガードの下部を枠側に固定する下部スカートベース３９とを備えた乗客コンベアの欄干において、枠側にスカートベースクリップ３８を設け、このスカートベースクリップ３８で下部スカートベース３９の水平辺３９ｂを把持しスカートガードの下部を枠側に固定するようにしたものである。これによって、スカートガードの下部をたたくといった簡単な方法でその水平方向の微調整を行うことができ、作業に要する労力および時間の低減を図ることができる。【選択図】図１
2010076860.tif 000002
【特許請求の範囲】
【請求項１】
無端状に連結されて枠内を循環移動する踏段の両側に対向し、前記踏段の移動方向に沿って連続的に配置された複数のスカートガードと、これらのスカートガードの下部を前記枠側に固定する下部スカートベースとを備えた乗客コンベアの欄干において、
前記枠側にスカートベースクリップを設け、このスカートベースクリップで前記下部スカートベースの水平辺を把持し前記スカートガードの下部を前記枠側に固定することを特徴とした乗客コンベアの欄干装置。
【発明の詳細な説明】
【技術分野】
【０００１】
本発明は、乗客コンベアの欄干装置に係り、特に、スカートガードを枠に固定する乗客コンベアの欄干装置に関する。
【背景技術】
【０００２】
従来、この種のものとして、乗客コンベアの枠側にＬ字状の下部スカートベースの水平辺をボルトにより螺着するとともに、スカートガードの裏面にばね係止部を取付け、ばね係止部をＬ字状の下部スカートベースの垂直辺に嵌め込むことで、スカートガードの下部を枠側に固定するものが提案されている（例えば、特許文献１参照）。
【特許文献１】特開平５−２３８６６９号公報（段落番号０００９〜００１２、図１）
【発明の開示】
【発明が解決しようとする課題】
【０００３】
しかしながら、前述したものでは、下部スカートベースの水平辺をボルトにより螺着するものであることから、スカートガードの水平方向の微調整を行うことが難しかった。すなわち、スカートガードと踏段との間には所定の間隙を設ける必要があるが、一旦、下部スカートベースの水平辺をボルトで固定してしまうと、下部スカートベースを水平方向に動かすことはできず、ひいてはスカートガードを水平方向に動かすことができなかった。スカートガードは長尺物であり、１つのスカートガードには複数の下部スカートベースが設けられており、スカートガードの水平方向の微調整を行うためには複数のボルトを緩める必要があり、多くの労力と時間を要するという問題があった。
【０００４】
本発明は、前述した従来技術における実状からなされたもので、その目的は、スカートガードの水平方向の微調整を容易に行うことのできる乗客コンベアの欄干装置を提供することにある。
【課題を解決するための手段】
【０００５】
前記目的を達成するために、本発明は、無端状に連結されて枠内を循環移動する踏段の両側に対向し、前記踏段の移動方向に沿って連続的に配置された複数のスカートガードと、これらのスカートガードの下部を前記枠側に固定する下部スカートベースとを備えた乗客コンベアの欄干において、前記枠側にスカートベースクリップを設け、このスカートベースクリップで前記下部スカートベースの水平辺を把持し前記スカートガードの下部を前記枠側に固定することを特徴としている。
【０００６】
このように構成した本発明では、スカートガードの下部は、スカートベースクリップで下部スカートベースの水平辺を把持することで枠側に固定される。このように、スカートベースクリップに下部スカートベースの水平辺が把持される構造であることから、従来のようにボルトを緩めるといった工程を要することなく、スカートガードの下部をたたくといった簡単な方法でその水平方向の微調整を行うことができる。
【発明の効果】
【０００７】
本発明によれば、スカートベースクリップに下部スカートベースの水平辺が把持される構造であることから、スカートガードの下部をたたくといった簡単な方法でその水平方向の微調整を行うことができ、これによって、作業に要する労力および時間の低減を図ることができる。
【発明を実施するための最良の形態】
【０００８】
以下、本発明に係る乗客コンベアの欄干装置の実施の形態を図に基づいて説明する。
【０００９】
図１は本発明に係る乗客コンベアの欄干装置の一実施形態を示す要部拡大図、図２は本実施形態における欄干装置の概略構成図である。
【００１０】
乗客コンベアは、図２に示すように、トラス構造等の複数の梁で構成され、乗客コンベアの重量及び乗客重量を支持する枠１と、無端状に連結されて枠１内を循環移動する踏段２と、欄干装置３とを有している。
【００１１】
欄干装置３は、図１および図２に示すように、踏段２の両側に立設され乗客コンベアの欄干の主体を成す欄干パネル３１と、踏段２と同期して循環移動する移動手摺３２と、踏段２の移動方向に沿って連続的に配置された複数のスカートガード３３と、欄干パネル３１の下辺部からスカートガード３３の上辺部までを覆う内デッキ３４と、枠１に取付けられ、欄干パネル３１、スカートガード３３の上部および内デッキ３４を支持する第１の支持部材３５と、枠１に取付けられ、移動手摺３２およびスカートガード３３の下部を支持する第２の支持部材３６と、スカートガード３３の裏面に設けられるばね係止部３７と、第２の支持部材３６にボルト３８ａを介して取付けられるスカートベースクリップ３８と、Ｌ字の断面形状を有し、その垂直辺３９ａがばね係止部３７に嵌合されるとともに、その水平辺３９ｂがスカートベースクリップ３８に把持される下部スカートベース３９とを備えてなっている。
【００１２】
本実施形態にあっては、スカートベースクリップ３８のボルト３８ａを緩めた状態で、下部スカートベース３９の水平辺３９ｂを第２の支持部材３６とスカートベースクリップ３８と間に挟み込み、この状態からボルト３８ａを締結することでスカートガード３３の下部を固定する。そして、踏段２とスカートガード３３との間の間隙ｈを所定の値とするため、スカートガード３３の水平方向の微調整を行う場合、スカートベースクリップ３８のボルト３８ａを緩めることなく、スカートガード３３の下部をたたくことで行う。
【００１３】
本実施形態によれば、スカートベースクリップ３８に下部スカートベース３９の水平辺３９ｂが把持される構造であることから、スカートガード３３の下部をたたくといった簡単な方法でその水平方向の微調整を行うことができ、これによって、作業に要する労力および時間の低減を図ることができる。
【図面の簡単な説明】
【００１４】
【図１】本発明に係る乗客コンベアの欄干装置の一実施形態を示す要部拡大図である。
【図２】本実施形態における欄干装置の概略構成図である。
【符号の説明】
【００１５】
１  枠
２  踏段
３  欄干装置
３１  欄干パネル
３２  移動手摺
３３  スカートガード
３４  内デッキ
３５  第１の支持部材
３６  第２の支持部材
３７  ばね係止部
３８  スカートベースクリップ
３８ａ  ボルト
３９  下部スカートベース
３９ａ  垂直辺
３９ｂ  水平辺
【図１】
2010076860.tif 000003
【図２】
2010076860.tif 000004